【手続補正書】
【提出日】平成26年2月7日(2014.2.7)
【手続補正１】
【補正対象書類名】特許請求の範囲
【補正対象項目名】全文
【補正方法】変更
【補正の内容】
【特許請求の範囲】
【請求項１】
側面使用の磁力原動機（モータ）は２極の３段重ねで、磁石の厚み５０ｍｍ外径６００φ内径５００φを２等分してカットしアルミ板を挟んだ輪を３個作り内径６００φの軟鉄パイプの内面へリベット止めした中へ入れる回転子は２ヶ所へスプリング付き磁石棒をＮが先Ｓが後の磁石棒を入れるとＮ盤の端から端まで強い力で回転し静止線上を越えるとカムで３０ｍｍ上のＮ盤へ滑り上がるとＮ盤の端から端まで強い力で回転する上下サイクルにより強い力で円芯運動します。従って要所をフーリ回転させると回転効率が高くなります。
この回転磁石棒を９０度回すと回転力が無くなり１８０度回すと強い力で回転します。
【請求項２】
表面使用の磁力原動機は（モータ）４極固定磁石輪の厚み３０ｍｍ外径８００φ内径７００φを４等分カットしＮ盤Ｓ盤Ｎ盤Ｓ盤と合わした。４ヶ所へ２４９．５ｍｍ宛カットしてアルミ板を挟んだ輪へ軟鉄板４ｍｍで外径８００φ  内径７６０φを２個で磁石輪を挟みその要所へ穴を明けリベット止めした磁石輪を２個作り輪と輪の空間を４５ｍｍ空けて軟鉄パイプの内面へカムと共に固定した中へＮ回転磁石を入れるとＮ盤の中心からＳ盤の中心まで強い力で回転し静止線上を越えるとカムで３０ｍｍ上のＮ盤の中心へ滑り上がる上下サイクルにより強い力で円芯運動します。
固定磁石輪と回転磁石の空間は強い吸着力により１３ｍｍから１６ｍｍは空けること
【請求項３】
磁石板天秤棒使用の磁力原動機（モータ）は、２極の２段重ねの固定磁石輪の外径６００φ、内径５００φ  厚み３０ｍｍを２等分してカットＮとＳ合わした２ケ所へ２８５ｍｍ宛カットし、アルミ板を挟んだ輪を２個作り、輪と輪の空間を４０ｍｍ明けて軟鉄パイプの内面へ固定した中へＮ回転磁石板天秤棒は縦７０ｍｍ横１５０ｍｍ長さ４７０ｍｍを２等分した所を元に、片方は直線で片方は斜面角度８度にしてカムで３０ｍｍ上のＮ盤へ上げるとＮ盤の中心からＳ盤の中心まで強い力と音速を越える早い速度で、１８０度回転し、静止線上を越えるとカムで３０ｍｍ下へ下げると、Ｎ盤の中心からＳ盤の中心まで強い力と速い速度で１８０度回転する上下サイクルにより強い力と速い速度で円芯運動します。
【請求項４】
スプリング原動機（モータ）は物体の落下速度９．８、４スプリングをカムと天秤棒で縮め一瞬で伸びる速度は音速を越えることにより７回転  軸元へ８カムを取り付け３天秤棒でスプリングを縮め一瞬に伸びる強い力と速い速度を外部の重り付き２ポッチを打つと回転子は強い力と速い速度で円芯運動します。
【請求項５】
天秤棒へスプリングを固定しカムと天秤棒で下から上へ３５ｍｍスプリングを締め一瞬に伸びる速い速度と強い力をポッチから重りへ伝えると強い力で円芯運動します。
これら総ての装置
【手続補正２】
【補正対象書類名】明細書
【補正対象項目名】全文
【補正方法】変更
【補正の内容】
【発明の詳細な説明】
【発明の名称】磁力とスプリング原動機（モータ）
【発明の詳細な説明】
【０００１】
【技術分野】
【０００２】  人々が永遠に使用するエネルギーに磁力とかスプリングの瞬発力といった核運動エネルギーなのでこれらの材料は鉄の酸化物といって鉄のさびでスプリングは鋼鉄ですから無尽蔵にあります。
【課題を解決するための手段】
【０００３】  実験で図１側面使用の３個の磁石輪を反発する様に組合わせた中へ回転子の２ケ所へスプリング付きＮ磁石棒を入れるとＮ盤の端から端まで強い力で１８０度回転し、静止線上を越えるとカムで３０ｍｍ上のＮ盤の端から端まで強い力で１８０度回転する上下サイクルにより強い力で円芯運動します。
【０００４】  表面使用の磁力原動機は（モータ）４極固定磁石輪の厚み３０ｍｍ外径８００φ内径７００φを４等分してカットしＮ盤Ｓ盤Ｎ盤Ｓ盤と合わした。４ヶ所へ２４９．５ｍｍ宛カットしてアルミ板を挟んだ輪へ軟鉄板４ｍｍで外径８００φ内径７６０φを２個で磁石輪を挟みその要所へ穴を明けリベット止めした磁石輪を２個作り輪と輪の空間を４５ｍｍ空けて軟鉄パイプの内面へカムと共に固定した中へＮ回転磁石を入れるとＮ盤の中心からＳ盤の中心まで強い力で回転し静止線上を超えるとカムで３０ｍｍ上のＮ盤の中心へ滑り上がる上下サイクルにより強い力と速い速度で円芯運動します。
【０００５】磁石板天秤棒使用の磁力原動機（モータ）は、２極の２段重ねの固定磁石輪の外径６００φ、内径５００φ  厚み３０ｍｍを２等分してカットＮとＳ合わした２ケ所へ２８５ｍｍ宛カットし、アルミ板を挟んだ輪を２個作り、輪と輪の空間を４０ｍｍ明けて軟鉄パイプの内面へ固定した中へＮ回転磁石板天秤棒は縦７０ｍｍ横１５０ｍｍ長さ４７０ｍｍを２等分した所を元に、片方は直線で片方は斜面角度８度にしてカムで３０ｍｍ上のＮ盤へ上げるとＮ盤の中心からＳ盤の中心まで強い力と音速を越える早い速度で、１８０度回転し、静止線上を越えるとカムで３０ｍｍ下へ下げると、Ｎ盤の中心からＳ盤の中心まで強い力と速い速度で１８０度回転する上下サイクルにより強い力と速い速度で円芯運動します。
これらが決め手になりました。
従来の磁気力を利用して磁石を回転させる方法、又は磁力原動機は、特開昭５０−１１２７０９、特開昭５４−６９７０７号広報に開示されている。出願番号特願平３−６１３３０  平成３年３月１日
【０００６】  スプリングモータは大型プーリの軸元へカムを固定し外部は重り付ポッチを取り付けること。
【０００７】  天秤棒へスプリングを固定しカムと天秤棒で下から上へ３５ｍｍスプリングを縮め一瞬に伸びる速い速度と強い力をポッチから重りへ伝えると強い力で円芯運動します。
１６実験で表面使用の固定磁石輪の中へ表面磁石を入れるとＮ盤とＳ盤の吸着力が強く回転力は弱くなります。１７実験でスプリング原動機は大型プーリの軸元へカムとスプリング付き天秤棒でスプリングを３５ｍｍ縮めるこが解決となります。
１  側面使用の固定磁石輪の中へ  ２  回転磁石の側面使用した  ３  回転子を  １１  主軸へ通し  ７  カム使用して上へ押し上げると強い力と速い速度で回転し次はスプリングの力で下へ押し下げると正常回転力と反対回転力が同じ力になると回転力が無くなることにより回転子は強い力と速い速度で円芯運動します。
１７スプリング原動機（モータ）は物体の落下速度９．８ｍ  ２６スプリングをカムと天秤棒で縮め一瞬に伸びる速度は音速を越えることにより  ２３回転子の軸元へ  ２２カムを取り付け  ２０天秤棒でスプリングを縮め一瞬に伸びる強い力と速い速度を外部の  １８  重り付き  １９  ポッチを打つと回転子は強い力と速い速度で円芯運動します。
【図面の簡単な説明】
【０００８】
【図１】  ３個の側面使用の磁力原動機（モータ）の斜視図
【図２】  １個の側面使用の磁石輪を示した図
【図３】  磁石輪の空間をアルミ板にした斜視図
【図４】  １個の磁石輪へ２枚の軟鉄板リングで挟みリベット止めした図
【図５】  １個のカムパイプと２個合わしたカムパイプを示した図
【図６】  主軸と蓋を示した図
【図７】  ハンマーで打っても割れない鋼鉄磁石へ１６ｍｍ４角の穴を明けた図
【図８】  １６ｍｍ４角の軟鉄棒へ足を付け磁石板止めリベット棒を示した図
【図９】  回転磁石板取り付けスプリングを入れスライドカバーした回転磁石棒を示した図
【図１０】  図１の断面図で磁石棒を上下さすことを示した図
【図１１】  図１の平面図で始動。トップ。ストップを示した図
【図１２】  ４極２段重ねた大型磁力原動機（モータ）を示した図
【図１３】  Ｎ回転磁石棒はＮ盤の中心からＳ盤の中心まで強い力で回転することを示した図
【図１４】  図１２の磁力原動機の平面図でカムで始動。トップ、ストップを示した図
【図１５】  タテ断面図で回転磁石を３０ｍｍ上下さすことを示した図
【図１６】  軟鉄パイプの内面へ４極の２段重ねを示した図
【図１７】  主軸と１７図でスプリングを示した図
【図１８】  Ｎ磁石盤を示した図
【図１９】  回転磁石の蓋を示した図
【図２０】  回転磁石組立図
【図２１】  回転磁石盤を示した図
【図２２】  カムパイプを示した図
【図２３】  磁石板天秤棒使用の磁力原動機（モータ）は２極の２段重ねの固定磁石輪を示した図
【図２４】
2012219811.tif 000001
【図２５】  Ｎ回転磁石板天秤棒は片方は直線で片方は斜面角度８度を示した図
【図２６】  磁石から放射されている粒子は軟鉄カバーすると全部磁石へ返る放射サイクルを示した図
【図２７】  スプリング原動機を実証する天秤棒などを示した図
【図２８】  スプリング原動機を示した斜視図
【図２９】  カムと主軸を示した斜視図
【図３０】  スプリング原動機を示した平面図
【図３１】  天秤棒とスプリング付受け皿を示した図
【図３２】  大型プーリの外部へポッチと重りを示した図
【図３３】  スプリング原動機の平面図
【符号の説明】
【０００８】１  側面使用の固定磁石輪    ２  回転磁石    ３  回転子    ４  カバー内部の固定磁石止め    ７  カムパイプ    １６  表面使用の固定磁石輪    ２０  天秤棒    ２１  主軸    ２５  Ｎ回転磁石板天秤棒    ２２  高さ３５ｍｍから急落下させるカム    ２６  スプリングと２５受け皿
【手続補正３】
【補正対象書類名】図面
【補正対象項目名】全図
【補正方法】変更
【補正の内容】
【図１】
2012219811.tif 000002
【図２】
2012219811.tif 000003
【図３】
2012219811.tif 000004
【図４】
2012219811.tif 000005
【図５】
2012219811.tif 000006
【図６】
2012219811.tif 000007
【図７】
2012219811.tif 000008
【図８】
2012219811.tif 000009
【図９】
2012219811.tif 000010
【図１０】
2012219811.tif 000011
【図１１】
2012219811.tif 000012
【図１２】
2012219811.tif 000013
【図１３】
2012219811.tif 000014
【図１４】
2012219811.tif 000015
【図１５】
2012219811.tif 000016
【図１６】
2012219811.tif 000017
【図１７】
2012219811.tif 000018
【図１８】
2012219811.tif 000019
【図１９】
2012219811.tif 000020
【図２０】
2012219811.tif 000021
【図２１】
2012219811.tif 000022
【図２２】
2012219811.tif 000023
【図２３】
2012219811.tif 000024
【図２４】
2012219811.tif 000025
【図２５】
2012219811.tif 000026
【図２６】
2012219811.tif 000027
【図２７】
2012219811.tif 000028
【図２８】
2012219811.tif 000029
【図２９】
2012219811.tif 000030
【図３０】
2012219811.tif 000031
【図３１】
2012219811.tif 000032
【図３２】
2012219811.tif 000033
【図３３】
2012219811.tif 000034